(57)【要約】【課題】液晶装置等の電気光学装置において、光学補償素子の信頼性を高めることで、高品質な画像を表示可能とする。【解決手段】電気光学装置は、電気光学パネル（１００）と、電気光学パネルにおける光の入射面及び出射面の少なくとも一方に設けられた光学補償層（２００）と、電気光学パネル及び光学補償層を互いに接着する第１の接着層（４１０）と、光学補償層及び第１の接着層間に設けられており、第１の接着層が浸透しないように光学補償層を保護する保護層（５００）とを備える。【選択図】図３
2010181527.tif 000002
【特許請求の範囲】
【請求項１】
電気光学パネルと、
前記電気光学パネルにおける光の入射面及び出射面の少なくとも一方に設けられた光学補償層と、
前記電気光学パネル及び前記光学補償層を互いに接着する第１の接着層と、
前記光学補償層及び前記第１の接着層間に設けられており、前記第１の接着層が浸透しないように前記光学補償層を保護する保護層と
を備えることを特徴とする電気光学装置。
【請求項２】
前記光学補償層及び前記保護層を互いに接着する第２の接着層を備え、
前記第２の接着層は、前記第１の接着層より流動性が低い
ことを特徴とする請求項１に記載の電気光学装置。
【請求項３】
前記光学補償層及び前記保護層を互いに接着する第２の接着層を備え、
前記第２の接着層に含まれる分子は、前記第１の接着層に含まれる分子より大きい
ことを特徴とする請求項１に記載の電気光学装置。
【請求項４】
前記保護層は、位相差を有さないことを特徴とする請求項１から３のいずれか一項に記載の電気光学装置。
【請求項５】
前記保護層は、位相差を有しており、前記光学補償層と共に前記光における位相のずれを補償することを特徴とする請求項１から３のいずれか一項に記載の電気光学装置。
【請求項６】
前記保護層は、位相差を有する複数の層を含んでおり、
前記複数の層は、互いの位相差を相殺するように配置されている
ことを特徴とする請求項１から５のいずれか一項に記載の電気光学装置。
【請求項７】
請求項１から６のいずれか一項に記載の電気光学装置を備えることを特徴とする電子機器。
【発明の詳細な説明】
【技術分野】
【０００１】
本発明は、例えば液晶装置等の電気光学装置、及び該電気光学装置を備えた、例えば液晶プロジェクター等の電子機器の技術分野に関する。
【背景技術】
【０００２】
この種の電気光学装置として、例えば一対の基板間に液晶等の電気光学物質を挟持してなる電気光学パネルに光を投射することで、パネル上に表示されている画像を視覚可能とするものがある。電気光学パネルに入射される光は、入射前に偏光板等によって位相が揃えられるが、偏光板の後段に設けられるマイクロレンズアレイ等の光学素子によって、揃えた位相にずれが生じてしまう場合がある。このような位相のずれを補正するため、電気光学パネルの表面に光学補償素子を設けるという技術が提案されている（例えば、特許文献１及び２参照）。
【０００３】
また、上述した光学補償素子は、接着性を有する接着層を介して、電気光学パネルに接着される場合がある（例えば、特許文献３から５参照）。
【先行技術文献】
【特許文献】
【０００４】
【特許文献１】特開２００８−７６５９２号公報
【特許文献２】特開２００８−８９６２６号公報
【特許文献３】特開平８−２７１８８３号公報
【特許文献４】特開平９−２９２５１８号公報
【特許文献５】特開２００２−１３１５３７号公報
【発明の概要】
【発明が解決しようとする課題】
【０００５】
しかしながら、上述した光学補償素子を接着する接着層には、時間の経過によって光学補償素子に浸透していくという特性がある。接着層が光学補償層に浸透すると、光学補償素子の光学特性が変化し、結果的に光学補償素子の補償機能が低下してしまうおそれがある。光学補償素子の補償機能が低下すると、コントラストの低下や色ムラ等が発生してしまう。即ち、上述した技術には、表示される画像の品質が低下するおそれがあるという技術的問題点がある。
【０００６】
本発明は、例えば上述した問題点に鑑みなされたものであり、光学補償素子の信頼性を高めることで、高品質な画像を表示可能な電気光学装置を提供することを課題とする。
【課題を解決するための手段】
【０００７】
本発明の電気光学装置は上記課題を解決するために、電気光学パネルと、前記電気光学パネルにおける光の入射面及び出射面の少なくとも一方に設けられた光学補償層と、前記電気光学パネル及び前記光学補償層を互いに接着する第１の接着層と、前記光学補償層及び前記第１の接着層間に設けられており、前記第１の接着層が浸透しないように前記光学補償層を保護する保護層とを備える。
【０００８】
本発明の電気光学装置によれば、その動作時には、例えば投射光やバックライト等の光が電気光学パネルの表示領域（言い換えれば、画素領域）に入射されることにより、投影画像や直視画像として画像が表示される。電気光学パネルは、例えば一対の基板間に液晶等の電気光学物質が挟持されてなり、表示領域における電気光学物質がＴＦＴ（Thin Film Transistor）等によって駆動されることで、様々な画像を表示可能である。
【０００９】
電気光学パネルにおける光の入射面及び出射面の少なくとも一方に対向する位置には、光学補償層が設けられている。光学補償層は、屈折率異方性を有することにより、電気光学パネルに入射する、或いは電気光学パネルから出射する光の位相のずれを補償する。これにより、表示画像におけるコントラストの低下や色ムラ等の発生を低減することができる。光学補償層は、典型的には、無機材料を斜方蒸着することによって形成された部材である。尚、光学補償層の電気光学パネルと対向しない側の面には、典型的には、防塵用基板が設けられる。
【００１０】
上述した光学補償層は、電気光学パネルに対し、第１の接着層によって接着されている。即ち、電気光学パネルと光学補償層との間には、互いを接着するための第１の接着層が設けられている。また本発明では特に、光学補償層と第１の接着層との間には、第１の接着層が光学補償層に浸透しないようにするための保護層が設けられている。このため、電気光学パネル及び光学補償層間には、少なくとも第１の接着層及び保護層の２つの層が存在することになる。
【００１１】
電気光学パネル及び光学補償層を互いに接着する第１の接着層は、例えば製造上の理由からゲル状の（即ち、流動性のある）接着剤を含んで構成される。ここで仮に、光学補償層及び第１の接着層間に上述した保護層が設けられていないとすると、時間の経過と共に、流動性のある第１の接着層が光学補償層に浸透し、光学補償素子の光学特性が変化してしまうおそれがある。即ち、光学補償素子の補償機能が低下してしまうおそれがある。
【００１２】
しかるに本発明では特に、上述したように、光学補償層と第１の接着層との間に保護層が設けられているため、第１の接着層が光学補償層に浸透してしまうことを防止することができる。よって、光学補償層の光学特性が、第１の接着層の浸透によって変化してしまうことを防止することができる。従って、光学補償層の補償機能が低下し、表示画像の品質が低下してしまうことを防止することができる。
【００１３】
尚、保護層は、光学補償層に対する第１の接着層の浸透を防止できるようなものであればよく、材料や厚さ等については特に限定されない。但し、保護層が光の投射される位置に配置されることを考えれば、耐光性に優れたＴＡＣ（トリアセチルセルロース）フィルムや、オレフィン系のフィルム等を使用するのが望ましい。
【００１４】
以上説明したように、本発明の電気光学装置によれば、光学補償層の信頼性が高められるため、高品質な画像を表示することが可能である。
【００１５】
本発明の電気光学装置の一態様では、前記光学補償層及び前記保護層を互いに接着する第２の接着層を備え、前記第２の接着層は、前記第１の接着層より流動性が低い。
【００１６】
この態様によれば、光学補償層及び保護層間に、互いを接着するための第２の接着層が設けられている。即ち、光学補償から見て、保護層より近い位置に第２の接着層が存在することになる。
【００１７】
しかしながら、第２の接着層は、電気光学パネル及び光学補償層を接着するための第１の接着層より流動性が低い。このため、第２の接着層は、第１の接着層のように光学補償層に対して浸透しない。よって、光学補償層の光学特性が、第２の接着層の浸透によって変化してしまうことがない。従って、本態様に係る電気光学装置では、高品質な画像を表示することが可能である。尚、第２の接着層を構成する材料の例としては、アクリル系、オレフィン系、ＰＶＡ（ポリビニルアルコール）系等の接着剤が挙げられる。
【００１８】
本発明の電気光学装置の他の態様では、前記光学補償層及び前記保護層を互いに接着する第２の接着層を備え、前記第２の接着層に含まれる分子は、前記第１の接着層に含まれる分子より大きい。
【００１９】
この態様によれば、光学補償層及び保護層間に、互いを接着するための第２の接着層が設けられている。即ち、光学補償から見て、保護層より近い位置に第２の接着層が存在することになる。
【００２０】
しかしながら、第２の接着層に含まれる分子は、電気光学パネル及び光学補償層を接着するための第１の接着層に含まれる分子より大きい。このため、第２の接着層は、第１の接着層よりも乾燥性が良好であると共に、第１の接着層のように光学補償層に対して浸透しない。よって、光学補償層の光学特性が、第２の接着層の浸透によって変化してしまうことがない。従って、本態様に係る電気光学装置では、高品質な画像を表示することが可能である。尚、第２の接着層を構成する材料の例としては、上述した態様と同様に、アクリル系、オレフィン系、ＰＶＡ系等の接着剤が挙げられる。
【００２１】
本発明の電気光学装置の他の態様では、前記保護層は、位相差を有さない。
【００２２】
この態様によれば、保護層が位相差を有さないように構成されているため、保護層自体は光学補償層のような補償機能を有さない。このため、光学補償層及び保護層等を含む光学系全体で見た場合の位相差が、保護層の有無によって変化しない。従って、保護層を設けることで新たな位相のずれが発生し、表示画像の品質が低下してしまうことを防止することができる。
【００２３】
尚、保護層における位相差は完全にゼロでなくともよく、光学補償層による補償効果を極端に低下させるものでなければよい。即ち、保護層の位相差を多少なりとも小さくすることができれば、上述した本態様の効果は相応に得られる。
【００２４】
本発明の電気光学装置の他の態様では、前記保護層は、位相差を有しており、前記光学補償層と共に前記光における位相のずれを補償する。
【００２５】
この態様によれば、保護層は位相差を有しており、位相のずれを補償する部材として機能する。即ち保護層は、光学補償層に加えて、もう一つの光学補償層として機能する。よって、光学補償層及び保護層等を含む光学系全体で見た場合の補償機能を、更に高めることができる。従って、より高品質な画像を表示させることが可能となる。
【００２６】
尚、上述した保護層は、光学補償層との位相差の和をより適切な値とすることで光学系全体の補償機能を高めるようなものであってもよいし、光学補償層とは異なる方向に対しての補償機能を有することで光学系全体の補償機能を高めるようなものであってもよい。
【００２７】
本発明の電気光学装置の他の態様では、前記保護層は、位相差を有する複数の層を含んでおり、前記複数の層は、互いの位相差を相殺するように配置されている。
【００２８】
この態様によれば、保護層が、光の位相のずれを補償するのに適していない位相差を有する層によって構成されていたとしても、位相差を相殺し、保護層全体としての位相差を適切な値にすることができる。例えば、位相差をできるだけ小さくしたい場合には、位相差を有する２つの層を遅相軸又は進相軸が直交するように配置すればよい。
【００２９】
上述した構成によれば、光学補償層及び保護層等を含む光学系全体で見た場合の位相差が、保護層の存在によって適切でない値となってしまうことを防止できる。従って、保護層を設けることで表示画像の品質が低下してしまうことを防止することができる。
【００３０】
本発明の電子機器は上記課題を解決するために、上述した本発明の電気光学装置（但し、その各種態様も含む）を備える。
【００３１】
本発明の電子機器によれば、上述した本発明に係る電気光学装置を具備してなるので、高品質な表示を行うことが可能な、投射型表示装置、テレビ、携帯電話、電子手帳、ワードプロセッサー、ビューファインダー型又はモニタ直視型のビデオテープレコーダー、ワークステーション、テレビ電話、ＰＯＳ端末、タッチパネルなどの各種電子機器を実現できる。また、本発明の電子機器として、例えば電子ペーパーなどの電気泳動装置等も実現することも可能である。
【００３２】
本発明の作用及び他の利得は次に説明する発明を実施するための形態から明らかにされる。
【図面の簡単な説明】
【００３３】
【図１】実施形態に係る電気光学パネルの全体構成を示す平面図である。
【図２】図１のＨ−Ｈ´線断面図である。
【図３】第１実施形態に係る電気光学装置の全体構成を示す断面図である。
【図４】比較例に係る電気光学装置の全体構成を示す断面図である。
【図５】光学補償層への第１の接着層の浸透を時系列で示す概念図である。
【図６】第１の接着層の浸透による光学補償層の正面位相差の変化を示すグラフである。
【図７】第１実施形態に係る電気光学装置のコントラスト及びその他の比較例のコントラストを示すグラフである。
【図８】第１実施形態に係る電気光学装置の変形例を示す断面図（その１）である。
【図９】第１実施形態に係る電気光学装置の変形例を示す断面図（その２）である。
【図１０】第２実施形態に係る電気光学装置の全体構成を示す断面図である。
【図１１】第２実施形態に係る電気光学装置における保護層の具体的な構成を示す概念図である。
【図１２】電気光学装置を適用した電子機器の一例たるプロジェクターの構成を示す平面図である。
【発明を実施するための形態】
【００３４】
以下では、本発明の実施形態について図を参照しつつ説明する。
【００３５】
＜電気光学パネル＞
先ず、本実施形態に係る電気光学装置に備えられる電気光学パネルの構成について、図１及び図２を参照して説明する。ここに図１は、本実施形態に係る電気光学パネルの全体構成を示す平面図であり、図２は、図１のＨ−Ｈ´線断面図である。尚、以下では、駆動回路内蔵型のＴＦＴアクティブマトリクス駆動方式の液晶装置を例にとり説明する。
【００３６】
図１及び図２において、本実施形態に係る電気光学装置では、ＴＦＴアレイ基板１０と対向基板２０とが対向配置されている。ＴＦＴアレイ基板１０は、例えば石英基板、ガラス基板等の透明基板や、シリコン基板等である。対向基板２０は、例えば石英基板、ガラス基板等の透明基板である。ＴＦＴアレイ基板１０と対向基板２０との間には、液晶層５０が封入されている。液晶層５０は、例えば一種又は数種類のネマティック液晶を混合した液晶からなり、一対の配向膜間で所定の配向状態をとる。
【００３７】
ＴＦＴアレイ基板１０と対向基板２０とは、複数の画素電極が設けられた画像表示領域１０ａの周囲に位置するシール領域に設けられたシール材５２により、相互に接着されている。尚、画像表示領域１０ａは、画素領域の一例である。
【００３８】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバー或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００３９】
シール材５２が配置されたシール領域の内側に並行して、画像表示領域１０ａの額縁領域を規定する遮光性の額縁遮光膜５３が、対向基板２０側に設けられている。尚、このような額縁遮光膜５３の一部又は全部は、ＴＦＴアレイ基板１０側に内蔵遮光膜として設けられてもよい。
【００４０】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００４１】
ＴＦＴアレイ基板１０上における対向基板２０の４つのコーナー部に対向する領域には、両基板間を上下導通材１０７で接続するための上下導通端子１０６が配置されている。これらにより、ＴＦＴアレイ基板１０と対向基板２０との間で電気的な導通をとることができる。
【００４２】
図２において、ＴＦＴアレイ基板１０上には、駆動素子である画素スイッチング用のＴＦＴや走査線、データ線等の配線が作り込まれた積層構造が形成される。この積層構造の詳細な構成については図２では図示を省略してあるが、この積層構造の上に、ＩＴＯ（Indium Tin Oxide）等の透明材料からなる画素電極９ａが、画素毎に所定のパターンで島状に形成されている。
【００４３】
画素電極９ａは、対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００４４】
対向基板２０におけるＴＦＴアレイ基板１０との対向面上には、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えばプロジェクター用のランプや直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００４５】
遮光膜２３上には、ＩＴＯ等の透明材料からなる対向電極２１が複数の画素電極９ａと対向するように形成されている。また遮光膜２３上には、画像表示領域１０ａにおいてカラー表示を行うために、開口領域及び非開口領域の一部を含む領域に、図２には図示しないカラーフィルターが形成されるようにしてもよい。対向基板２０の対向面上における、対向電極２１上には、配向膜２２が形成されている。
【００４６】
尚、図１及び図２に示したＴＦＴアレイ基板１０上には、上述したデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００４７】
＜電気光学装置＞
次に、本実施形態に係る電気光学装置の全体構成について、図３から図１１を参照して説明する。尚、以下では２つの実施形態を例に挙げて説明する。
【００４８】
＜第１実施形態＞
先ず、第１実施形態に係る電気光学装置の構成について、図３を参照して説明する。ここに図３は、第１実施形態に係る電気光学装置の全体構成を示す断面図である。尚、図３以降の図では、説明の便宜上、図１及び図２に示した詳細な部材を適宜省略している。また、電気光学装置を構成する各層の厚さについても、適宜縮尺を変更して図示してある。
【００４９】
図３において、第１実施形態に係る電気光学装置は、上述した電気光学パネル１００と、光学補償層２００と、防塵用基板３００と、第１の接着層４１０と、第２の接着層４２０と、保護層５００とを備えて構成されている。
【００５０】
光学補償層２００は、例えば無機材料を斜方蒸着することによって構成されており、位相差（言い換えれば、屈折率異方性）を有することにより、電気光学装置から出射される光源光の位相のずれを補償可能とされている。
【００５１】
防塵用基板３００は、例えば石英等の透明な基板であり、電気光学パネル１００に対して塵や埃が直接付着してしまうことを防止する。上述した光学補償層２００は、典型的には、この防塵用基板３００と一体的に構成されている。
【００５２】
第１の接着層４１０は、例えば流動性のあるゲル状の接着剤を含んで構成されており、電気光学パネル１００及び光学補償層２００を互いに接着している。第１の接着層４１０には、典型的には、電気光学パネル１００及び光学補償層２００を互いに貼り合わせた後に熱等による硬化処理が施されるが、完全には硬化しない。
【００５３】
第２の接着層４２０は、第１の接着層４１０とは異なる接着剤を含んで構成されており、光学補償層２００及び後述する保護層５００を互いに接着している。第２の接着層４２０は、例えば第１の接着層４１０に含まれる接着剤と比べて、流動性の低い又は構成する分子の大きさが大きい接着剤（例えば、アクリル系、オレフィン系、ＰＶＡ系等の接着剤）を含んでいる。
【００５４】
保護層５００は、例えばＴＡＣフィルムやオレフィン系フィルムによって構成されており、第１の接着層４１０が光学補償層２００に浸透するのを防止する。即ち、保護層５００は、第１の接着層４１０が浸透しないような材料によって構成されている。
【００５５】
尚、ここでの図示は省略しているが、電気光学装置に対する光の入射側及び出射側には、典型的には、一対の偏光板が配置される。また、光の利用効率を高めるためのマイクロレンズアレイなど、他の光学部材が配置されていてもよい。
【００５６】
ここで、比較例に係る電気光学装置について、図４から図６を参照して説明する。ここに図４は、比較例に係る電気光学装置の全体構成を示す断面図である。また図５は、光学補償層への第１の接着層の浸透を時系列で示す概念図であり、図６は、第１の接着層の浸透による光学補償層の正面位相差の変化を示すグラフである。
【００５７】
図４において、比較例に係る電気光学装置では、電気光学パネル１００及び光学補償層２００が、第１の接着層４１０によって直接接着されている。即ち、比較例に係る電気光学装置には、図３に示した第１実施形態に係る電気光学装置が備えている、保護層５００及び保護層５００を接着するための第２の接着層４２０が備えられていない。
【００５８】
図５において、比較例に係る電気光学装置では、光学補償層２００及び第１の接着層４２０が直接接触しているため、時間の経過と共に第１の接着層４１０が光学補償層２００に浸透する。これによって、光学補償層２００における第１の接着層４１０が浸透した部分２００ａは、光学特性が変化した状態となってしまう。
【００５９】
図６において、本願発明者の研究によれば、比較例に係る電気光学装置では、光学補償層２００の正面位相差（即ち、正面からの光を補償する能力）が、時間の経過と共に低下してしまうことが判明している。具体的には、装置の製造時（即ち、第１の接着層４１０による接着を行ったばかりの状態）の光学補償層２００の正面位相差は、２週間後の段階で半分程度にまで低下してしまう。
【００６０】
続いて、第１実施形態に係る電気光学装置の効果について、図７を参照して説明する。ここに図７は、第１実施形態に係る電気光学装置のコントラスト及びその他の比較例のコントラストを示すグラフである。
【００６１】
図７において、Ａで示すグラフは、電気光学パネル１００単体のコントラストを示している。即ち、光学補償層２００が設けられていない状態でのコントラストを示している。
【００６２】
Ｂで示すグラフは、電気光学パネル１００から離れた位置に光学補償層２００を設けた場合のコントラストを示している。この場合は、電気光学パネル１００及び光学補償層２００を互いに接着する第１の接着層４１０が不要であるため、光学補償層２００の光学特性は変化しない。よって、比較的高いコントラストを維持することができる。但し、電気光学パネル１００と光学補償層２００との間に距離が空いてしまう分、配置スペースが増加してしまう。
【００６３】
Ｃで示すグラフは、図４に示した比較例に係る電気光学装置の製造から２週間後のコントラストを示している。比較例に係る電気光学装置では、上述したように第１の接着層４１０が光学補償層２００に浸透してしまうため、光学補償層２００の補償機能が低下し、コントラストが顕著に低下してしまう。
【００６４】
Ｄで示すグラフは、図３に示した第１実施形態に係る電気光学装置のコントラストを示している。第１実施形態に係る電気光学装置では、保護層５００によって、第１の接着層４１０が光学補償層２００に浸透するのを防止することができるため、電気光学パネル１００及び光学補償層２００を一体的に構成した場合でも、極めて高いコントラストを得ることができる。
【００６５】
更に、保護層５００が光学補償層２００のように、光の入射方向に位相差を有することにより、保護層５００においても、光源光の位相のずれが補償される。即ち、第１実施形態に係る電気光学装置では、光学補償層２００及び保護層５００の両方で位相のずれが補償される。このため、保護層５００の設けられていないＢのグラフと比べても、第１実施形態に係る電気光学装置を示すＤのグラフのコントラストは高くなっている。尚、保護層５００が位相差を有さない場合であっても、Ｂのグラフと同程度のコントラストを実現することが可能である。
【００６６】
次に、第１実施形態に係る電気光学装置の変形例について、図８及び図９を参照して説明する。ここに図８及び図９は夫々、第１実施形態に係る電気光学装置の変形例を示す断面図である。
【００６７】
図８に示すように、光学補償層２００が、電気光学パネル１００における光の入射側（即ち、対向基板２０側）に設けられる場合であっても、光学補償層２００と第１の接着層４１０との間に保護層５００を配置すれば、第１の接着層４１０の浸透を防止することができる。
【００６８】
図９に示すように、光学補償層２００が、電気光学パネル１００における光の入射側及び出射側の両方に設けられる場合も同様である。
【００６９】
また、電気光学パネル１００における光の入射側又は出射側に複数の光学補償層２００が設けられる場合であっても、光学補償層２００と浸透する可能性のある接着層との間に保護層５００を配置すれば、同様の効果を得ることができる。
【００７０】
以上説明したように、第１実施形態に係る電気光学装置によれば、光学補償層２００の信頼性が高められるため、高品質な画像を表示することが可能である。
【００７１】
＜第２実施形態＞
次に、第２実施形態に係る電気光学装置について、図１０及び図１１を参照して説明する。ここに図１０は、第２実施形態に係る電気光学装置の全体構成を示す断面図であり、図１１は、第２実施形態に係る電気光学装置における保護層の具体的な構成を示す概念図である。尚、第２実施形態は、上述の第１実施形態と比べて、保護層の構成が異なり、その他の構成については概ね同様である。このため第２実施形態では、第１実施形態と異なる部分について詳細に説明し、その他の重複する部分については適宜説明を省略する。
【００７２】
図１０において、第２実施形態に係る電気光学装置では、保護層５００が、第１保護層５１０及び第２保護層５２０の２つの層が積層されることによって構成されている。
【００７３】
第１保護層５１０及び第２保護層は、夫々位相差を有する層である。そして特に、第１保護層５１０と第２保護層５２０とは、互いの位相差を相殺するように配置されている。
【００７４】
図１１において、第１保護層５１０及び第２保護層５２０は、例えば各々の補償方向が直交するように配置される。このように配置すれば、第１保護層５１０及び第２保護層の正面位相差が相殺され、保護層５００全体としての位相差をゼロに近付けることができる。よって、仮に第１保護層５１０及び第２保護層５２０の有する位相差が、光源光の位相のずれを補償するのに適切な値でなかったとしても、保護層５００に起因して表示画像の品質は低下しない。
【００７５】
また、第１保護層５１０及び第２保護層５２０の有する位相差は完全に相殺されなくともよく、部分的に相殺することで、保護層５００全体としての位相差が光源光の位相のずれを補償するのに適切な値となるようにしてもよい。
【００７６】
尚、ここでは、保護層５００が第１保護層５１０及び第２保護層５２０の２つの層によって構成される場合について説明したが、保護層５００がより多くの層によって構成される場合も、互いの位相差を相殺するように配置すれば、同様の効果を得ることができる。
【００７７】
以上説明したように、第２実施形態に係る電気光学装置によれば、上述した第１実施形態と同様に、光学補償層２００の信頼性が高められるため、高品質な画像を表示することが可能である。
【００７８】
＜電子機器＞
次に、上述した電気光学装置を各種の電子機器に適用する場合について説明する。ここに図１２は、プロジェクターの構成例を示す平面図である。以下では、この液晶装置をライトバルブとして用いたプロジェクターについて説明する。
【００７９】
図１２に示されるように、プロジェクター１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００８０】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００８１】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００８２】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルターを設ける必要はない。
【００８３】
尚、図１２を参照して説明した電子機器の他にも、モバイル型のパーソナルコンピュータや、携帯電話、液晶テレビや、ビューファインダー型、モニタ直視型のビデオテープレコーダー、カーナビゲーション装置、ページャー、電子手帳、電卓、ワードプロセッサー、ワークステーション、テレビ電話、ＰＯＳ端末、タッチパネルを備えた装置等が挙げられる。そして、これらの各種電子機器に適用可能なのは言うまでもない。
【００８４】
また、本発明は上述の各実施形態で説明した液晶装置以外にも反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００８５】
本発明は、上述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えた電子機器もまた本発明の技術的範囲に含まれるものである。
【符号の説明】
【００８６】
９ａ…画素電極、１０…ＴＦＴアレイ基板、１０ａ…画像表示領域、２０…対向基板、５０…液晶層、１００…電気光学パネル、１０１…データ線駆動回路、１０２…外部回路接続端子、１０４…走査線駆動回路、２００…光学補償層、３００…防塵用基板、４１０…第１の接着層、４２０…第２の接着層、５００…保護層、５１０…第１保護層、５２０…第２保護層
【図１】
2010181527.tif 000003
【図２】
2010181527.tif 000004
【図３】
2010181527.tif 000005
【図４】
2010181527.tif 000006
【図５】
2010181527.tif 000007
【図６】
2010181527.tif 000008
【図７】
2010181527.tif 000009
【図８】
2010181527.tif 000010
【図９】
2010181527.tif 000011
【図１０】
2010181527.tif 000012
【図１１】
2010181527.tif 000013
【図１２】
2010181527.tif 000014